【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
５５．０モル％以上から７０．０モル％以下のＳｉＯ２、
１２．０モル％以上から２０．０モル％以下のＡｌ２Ｏ３、
０モル％超から７．５モル％以下のＢ２Ｏ３、
５．０モル％以上から１５．０モル％以下のＬｉ２Ｏ、および
４．０モル％以上から１５．０モル％以下のＮａ２Ｏ、
を含み、
−８．００モル％≦Ｒ２Ｏ＋ＲＯ−Ａｌ２Ｏ３−Ｂ２Ｏ３−Ｐ２Ｏ５≦−１．７５モル％、
９．１０≦（ＳｉＯ２＋Ａｌ２Ｏ３＋Ｌｉ２Ｏ）／Ｎａ２Ｏ、
１．８０≦（Ｌｉ２Ｏ＋Ａｌ２Ｏ３＋Ｐ２Ｏ５）／（Ｎａ２Ｏ＋Ｂ２Ｏ３）≦３．５０、
Ａｌ２Ｏ３＋Ｌｉ２Ｏが２１．４モル％超であり、
ＲＯが、二価陽イオン酸化物の合計であり、ＭｇＯ、ＣａＯ、ＳｒＯ、ＢａＯ、ＦｅＯ、およびＺｎＯからなる群から選択され、
Ｒ２Ｏが、アルカリ金属酸化物の合計であり、Ｌｉ２Ｏ、Ｎａ２Ｏ、Ｋ２Ｏ、Ｒｂ２Ｏ、Ｃｓ２Ｏ、およびＦｒ２Ｏからなる群から選択される、ガラス組成物。
【請求項２】
−７．５０モル％≦Ｒ２Ｏ＋ＲＯ−Ａｌ２Ｏ３−Ｂ２Ｏ３−Ｐ２Ｏ５≦−２．５０モル％である、請求項１記載のガラス組成物。
【請求項３】
９．１０≦（ＳｉＯ２＋Ａｌ２Ｏ３＋Ｌｉ２Ｏ）／Ｎａ２Ｏ≦１６．００である、請求項１または２記載のガラス組成物。
【請求項４】
９．２０≦（ＳｉＯ２＋Ａｌ２Ｏ３＋Ｌｉ２Ｏ）／Ｎａ２Ｏ≦１５．５０である、請求項１から３いずれか１項記載のガラス組成物。
【請求項５】
１．８０≦（Ｌｉ２Ｏ＋Ａｌ２Ｏ３＋Ｐ２Ｏ５）／（Ｎａ２Ｏ＋Ｂ２Ｏ３）≦３．３５である、請求項１から４いずれか１項記載のガラス組成物。
【請求項６】
Ｂ２Ｏ３＋Ｐ２Ｏ５が０．０モル％超である、請求項１から５いずれか１項記載のガラス組成物。
【請求項７】
１．００≦（Ｌｉ２Ｏ＋Ａｌ２Ｏ３）／（Ｎａ２Ｏ＋Ｂ２Ｏ３＋Ｐ２Ｏ５）≦２．７５である、請求項１から６いずれか１項記載のガラス組成物。
【請求項８】
Ａｌ２Ｏ３＋Ｌｉ２Ｏ＋Ｎａ２Ｏが２５．０モル％超である、請求項１から７いずれか１項記載のガラス組成物。
【請求項９】
０．９０＜Ａｌ２Ｏ３／（Ｒ２Ｏ＋ＲＯ）＜１．２０である、請求項１から８いずれか１項記載のガラス組成物。
【請求項１０】
１．０＜（Ａｌ２Ｏ３＋Ｂ２Ｏ３＋Ｐ２Ｏ５）／（Ｒ２Ｏ＋ＲＯ）である、請求項１から９いずれか１項記載のガラス組成物。
【請求項１１】
６．９６Ａｌ２Ｏ３−１．９０Ｂ２Ｏ３＋２．１６ＣａＯ＋３．３０ＭｇＯ−１．５０Ｎａ２Ｏ＋１２．７４Ｌｉ２Ｏ−１．１０ＳｒＯ−１４．５０Ｋ２Ｏ−１．８７Ｌａ２Ｏ３＋６．１３ＺｒＯ２−７６．４０モル％＞５０．００モル％である、請求項１から１０いずれか１項記載のガラス組成物。
【請求項１２】
ガラス物品において、
第一面；
前記第一面と反対の第二面であって、該第一面と該第二面との間の距離として前記ガラス物品の厚さ（ｔ）が測定される、第二面；および
前記第一面と前記第二面の少なくとも一方から前記ガラス物品の厚さ（ｔ）中に延在する圧縮応力層；
を備えたガラス物品であって、
前記ガラス物品の中央張力は６０ＭＰａ以上であり、
前記圧縮応力層は０．１５ｔ以上から０．２５ｔ以下の圧縮深さを有し、
前記ガラス物品は、
５５．０モル％以上から７０．０モル％以下のＳｉＯ２、
１２．０モル％以上から２０．０モル％以下のＡｌ２Ｏ３、
０モル％超から７．５モル％以下のＢ２Ｏ３、
５．０モル％以上から１５．０モル％以下のＬｉ２Ｏ、および
４．０モル％以上から１５．０モル％以下のＮａ２Ｏ、
を含み、
−８．００モル％≦Ｒ２Ｏ＋ＲＯ−Ａｌ２Ｏ３−Ｂ２Ｏ３−Ｐ２Ｏ５≦−１．７５モル％、
９．００≦（ＳｉＯ２＋Ａｌ２Ｏ３＋Ｌｉ２Ｏ）／Ｎａ２Ｏ、
１．８０≦（Ｌｉ２Ｏ＋Ａｌ２Ｏ３＋Ｐ２Ｏ５）／（Ｎａ２Ｏ＋Ｂ２Ｏ３）≦３．５０
Ａｌ２Ｏ３＋Ｌｉ２Ｏが２１．４モル％超であり、
ＲＯが、二価陽イオン酸化物の合計であり、ＭｇＯ、ＣａＯ、ＳｒＯ、ＢａＯ、ＦｅＯ、およびＺｎＯからなる群から選択され、
Ｒ２Ｏが、アルカリ金属酸化物の合計であり、Ｌｉ２Ｏ、Ｎａ２Ｏ、Ｋ２Ｏ、Ｒｂ２Ｏ、Ｃｓ２Ｏ、およびＦｒ２Ｏからなる群から選択されるガラスから形成される、ガラス物品。
【請求項１３】
前記ガラス物品の中央張力が８０ＭＰａ以上である、請求項１２記載のガラス物品。
【請求項１４】
前記ガラス物品の中央張力が９０ＭＰａ以上である、請求項１２または１３記載のガラス物品。
【請求項１５】
前記圧縮応力層が、０．１８ｔ以上から０．２２ｔ以下の圧縮深さを有する、請求項１２から１４いずれか１項記載のガラス物品。
【請求項１６】
前記ガラス物品が、２０ｋＰ以上から１０００ｋＰ未満の液相粘度を有する、請求項１２から１５いずれか１項記載のガラス物品。
【請求項１７】
前面、背面、および側面を有する筐体；
前記筐体内に少なくとも部分的に内部にある電気部品であって、少なくとも制御装置、メモリ、および前記筐体の前面に、またはその近くにあるディスプレイを含む電気部品；および
前記ディスプレイ上に配置されたカバー基板；
を備える家電製品であって、
前記筐体および前記カバー基板の少なくとも一方の少なくとも一部が、請求項１２から１６いずれか１項記載のガラス物品を含む、家電製品。
【請求項１８】
ガラス物品において、
第一面；
前記第一面と反対の第二面であって、該第一面と該第二面との間の距離として前記ガラス物品の厚さ（ｔ）が測定される、第二面；および
前記第一面と前記第二面の少なくとも一方から前記ガラス物品の厚さ（ｔ）中に延在する圧縮応力層；
を備えたガラス物品であって、
前記ガラス物品の中央張力は６０ＭＰａ以上であり、
前記圧縮応力層は０．１５ｔ以上から０．２５ｔ以下の圧縮深さを有し、
前記ガラス物品は、
５５．０モル％以上から７０．０モル％以下のＳｉＯ２、
１２．０モル％以上から２０．０モル％以下のＡｌ２Ｏ３、
０モル％超から７．５モル％以下のＢ２Ｏ３、
５．０モル％以上から１５．０モル％以下のＬｉ２Ｏ、および
４．０モル％以上から１５．０モル％以下のＮａ２Ｏ、
を含み、
−８．００モル％≦Ｒ２Ｏ＋ＲＯ−Ａｌ２Ｏ３−Ｂ２Ｏ３−Ｐ２Ｏ５≦−１．７５モル％、
９．００≦（ＳｉＯ２＋Ａｌ２Ｏ３＋Ｌｉ２Ｏ）／Ｎａ２Ｏ、
１．８０≦（Ｌｉ２Ｏ＋Ａｌ２Ｏ３＋Ｐ２Ｏ５）／（Ｎａ２Ｏ＋Ｂ２Ｏ３）≦３．５０、
Ａｌ２Ｏ３＋Ｌｉ２Ｏが２１．４モル％超であり、
ＲＯが、二価陽イオン酸化物の合計であり、ＭｇＯ、ＣａＯ、ＳｒＯ、ＢａＯ、ＦｅＯ、およびＺｎＯからなる群から選択され、
Ｒ２Ｏが、アルカリ金属酸化物の合計であり、Ｌｉ２Ｏ、Ｎａ２Ｏ、Ｋ２Ｏ、Ｒｂ２Ｏ、Ｃｓ２Ｏ、およびＦｒ２Ｏからなる群から選択される
組成を前記ガラス物品の中心深さで有する、ガラス物品。
【請求項１９】
ガラス組成物において、
６０．０モル％以上から７０．０モル％以下のＳｉＯ２、
１２．０モル％以上から１８．０モル％以下のＡｌ２Ｏ３、
０モル％超から７．５モル％以下のＢ２Ｏ３、
５．０モル％以上から１０．０モル％以下のＬｉ２Ｏ、
４．０モル％以上から１０．０モル％以下のＮａ２Ｏ、および
０．７５モル％以上のＰ２Ｏ５、
を含み、
Ｌｉ２Ｏ／Ｎａ２Ｏは１．００以上であり、
Ａｌ２Ｏ３＋Ｌｉ２Ｏは２１．４モル％超かつ２５．２５モル％以下である、ガラス組成物。
【請求項２０】
ガラス物品において、
第一面；
前記第一面と反対の第二面であって、該第一面と該第二面との間の距離として前記ガラス物品の厚さ（ｔ）が測定される、第二面；および
前記第一面と前記第二面の少なくとも一方から前記ガラス物品の厚さ（ｔ）中に延在する圧縮応力層；
を備えたガラス物品であって、
前記ガラス物品の中央張力は６０ＭＰａ以上であり、
前記圧縮応力層は０．１５ｔ以上から０．２５ｔ以下の圧縮深さを有し、
前記ガラス物品は、請求項１９記載のガラス組成物から形成される、ガラス物品。
【請求項２１】
前記ガラス物品の中央張力が８０ＭＰａ以上である、請求項２０記載のガラス物品。
【請求項２２】
前記ガラス物品の中央張力が９０ＭＰａ以上である、請求項２０または２１記載のガラス物品。
【請求項２３】
前記圧縮応力層が、０．１８ｔ以上から０．２２ｔ以下の圧縮深さを有する、請求項２０から２２いずれか１項記載のガラス物品。
【請求項２４】
前記ガラス物品が、２０ｋＰ以上から１０００ｋＰ未満の液相粘度を有する、請求項２０から２３いずれか１項記載のガラス物品。
【請求項２５】
前面、背面、および側面を有する筐体；
前記筐体内に少なくとも部分的に内部にある電気部品であって、少なくとも制御装置、メモリ、および前記筐体の前面に、またはその近くにあるディスプレイを含む電気部品；および
前記ディスプレイ上に配置されたカバー基板；
を備える家電製品であって、
前記筐体および前記カバー基板の少なくとも一方の少なくとも一部が、請求項２０から２４いずれか１項記載のガラス物品を含む、家電製品。